(57)【要約】  本発明は、長手方向に延びるバー（１０）を備える重量挙げ装置（１）であって、バーが、１つまたは複数のフリーウエイト（１００）を受容するように構成された少なくとも１つのウエイト支持部（３０）を備え、１つまたは複数のフリーウエイト（１００）が、ウエイト支持部（３０）を取り囲むように構成された開口部（１０１）を備える、重量挙げ装置（１）に関する。ウエイト支持部は、ウエイト支持部の第１の端部（３２）に１つまたは複数のフリーウエイトのための端部止め（３１）と、ウエイト支持部の、反対側の第２の端部（１１）における、または第２の端部（１１）に隣接する凹部（１２）と、フリーウエイトをロックし、フリーウエイトが第２の端部から意図せず落下するのを防ぐためのフリーウエイトロッキング部材（４０）を備える。フリーウエイトロッキング部材は、凹部と、凹部と端部止めとの間に位置する少なくとも１つのフリーウエイトロッキング位置（３３）との間のウエイト支持部の長手方向（Ｌ）に移動可能である。フリーウエイトロッキング部材は、凹部において没入位置と上昇位置との間の第２の方向にさらに移動可能であり、没入位置は、フリーウエイトロッキング部材が、完全に、または少なくとも大部分が凹部に没入される位置であり、上昇位置は、フリーウエイトロッキング部材が、没入位置に対して上昇し、少なくとも部分的に凹部の外側に延びる位置である。
2021526953.tif 000002
【特許請求の範囲】
【請求項１】
長手方向に延びるバー（１０）を備える重量挙げ装置（１）であって、前記バー（１０）が、
１つまたは複数のフリーウエイト（１００）を受容するように構成された少なくとも１つのウエイト支持部（３０）を備え、前記１つまたは複数のフリーウエイト（１００）が、前記ウエイト支持部（３０）を取り囲むように構成された開口部（１０１）を備え、前記ウエイト支持部（３０）が、
前記ウエイト支持部（３０）の第１の端部（３２）にある前記フリーウエイト（１００）のための端部止め（３１）と、
前記ウエイト支持部（３０）の、反対側の第２の端部（１１）にある、または第２の端部（１１）に隣接する凹部（１２）と、
前記フリーウエイト（１００）をロックし、前記フリーウエイト（１００）が前記第２の端部（１１）から意図せず落下するのを防ぐためのフリーウエイトロッキング部材（４０）であって、前記凹部（１２）と、前記凹部（１２）と前記端部止め（３１）との間に位置する少なくとも１つのフリーウエイトロッキング位置（３３）との間で前記ウエイト支持部（３０）の長手方向（Ｌ）に移動可能である、フリーウエイトロッキング部材（４０）と、を備え、
前記フリーウエイトロッキング部材（４０）が、前記凹部（１２）において前記凹部（１２）に対して没入位置と上昇位置との間の第２の方向にさらに移動可能であり、前記没入位置は、前記フリーウエイトロッキング部材（４０）が、完全に、または少なくとも大部分が前記凹部（１２）に没入される位置であり、前記上昇位置は、前記フリーウエイトロッキング部材（４０）が、前記没入位置に対して上昇し、少なくとも部分的に前記凹部（１２）の外側に延びる位置である、重量挙げ装置（１）。
【請求項２】
前記フリーウエイトロッキング部材（４０）が前記没入位置にあるときに、前記フリーウエイトロッキング部材（４０）は、前記バー（１０）の前記長手方向（Ｌ）に移動するのを防がれる、請求項１記載の重量挙げ装置（１）。
【請求項３】
前記フリーウエイトロッキング部材（４０）が前記上昇位置にあるときに、前記フリーウエイトロッキング部材（４０）は、前記長手方向（Ｌ）に移動可能である、請求項１または２に記載の重量挙げ装置（１）。
【請求項４】
前記フリーウエイトロッキング部材（４０）が、前記没入位置にあるときに、前記ウエイト支持部（３０）から外向きに面する前記フリーウエイトロッキング部材（４０）の周囲形状が、前記ウエイト支持部（３０）の周囲形状に実質的に従うか、またはそれよりも小さくなるように構成される、請求項１〜３のいずれか１項に記載の重量挙げ装置（１）。
【請求項５】
前記フリーウエイトロッキング部材（４０）および／または前記ウエイト支持部（３０）が、前記フリーウエイトロッキング部材（４０）と前記少なくとも１つのフリーウエイトロッキング位置（３３）との間に保持力を提供するための保持手段をさらに含む、請求項１〜４のいずれか１項に記載の重量挙げ装置（１）。
【請求項６】
前記保持手段が、前記フリーウエイトロッキング部材（４０）上の少なくとも１つの雄ロッキング要素（４１）および／または雌ロッキング要素と、前記少なくとも１つのフリーウエイトロッキング位置（３３）にある少なくとも１つの嵌合する雌ロッキング要素（３３１）および／または雄ロッキング要素とを備え、それにより、前記フリーウエイトロッキング部材（４０）を前記少なくとも１つのフリーウエイトロッキング位置（３３）にロックするための少なくとも１つの嵌合する対の雄／雌ロッキング要素（４１、３３１）を形成する、請求項５記載の重量挙げ装置（１）。
【請求項７】
前記少なくとも１つの嵌合する対の雄／雌ロッキング要素（４１、３３１）を連結および解放する方向が、前記長手方向（Ｌ）に対して略垂直であり得るか、または前記端部止め（３１）に向かって傾斜する、請求項６記載の重量挙げ装置（１）。
【請求項８】
前記保持手段が、前記フリーウエイトロッキング部材（４０）と前記ウエイト支持部（３０）との間に摩擦力を提供するための、前記フリーウエイトロッキング部材（４０）に設けられた、磁石（４３）、機械ばねおよびレバー（４４）、Ｚネジ、または同様のもののうちの少なくとも１つを備える、請求項５〜７のいずれか１項に記載の重量挙げ装置（１）。
【請求項９】
前記保持手段が、前記フリーウエイトロッキング部材（４０）および前記ウエイト支持部（３０）の少なくとも１つに設けられる摩擦増大コーティングを含む、請求項５〜８のいずれか１項に記載の重量挙げ装置（１）。
【請求項１０】
前記ウエイト支持部（３０）が、その長手方向（Ｌ）に複数のフリーウエイトロッキング位置（３３）を含み、これらは、好ましくは、前記長手方向（Ｌ）に互いに後に一列に配置される、請求項１〜９のいずれか１項に記載の重量挙げ装置（１）。
【請求項１１】
前記フリーウエイトロッキング部材（４０）が、前記ウエイト支持部（３０）に移動可能に固定される、請求項１〜１０のいずれか１項に記載の重量挙げ装置（１）。
【請求項１２】
前記フリーウエイトロッキング部材（４０）が、前記ウエイト支持部（３０）に設けられた少なくとも１つのトラックに沿って前記ウエイト支持部（３０）の前記長手方向（Ｌ）に移動可能である、請求項１〜１１のいずれか１項に記載の重量挙げ装置（１）。
【請求項１３】
前記少なくとも１つのトラックが、前記ウエイト支持部（３０）の前記長手方向（Ｌ）に延びる、少なくとも１つの溝、好ましくは２つの溝、より好ましくは反対側の２つの溝である、請求項１２記載の重量挙げ装置（１）。
【請求項１４】
前記ウエイト支持部（３０）が、円形または楕円形の断面形状を有する、請求項１〜１３のいずれか１項に記載の重量挙げ装置（１）。
【請求項１５】
前記重量挙げ装置が、オリンピック標準のバーベル、パワーリフティング標準のバーベル、オリンピックダンベル、およびプレート式筋力訓練機などの、バーベルまたはダンベルのいずれか１つである、請求項１〜１４のいずれか１項に記載の重量挙げ装置（１）。
【発明の詳細な説明】
【技術分野】
【０００１】
本発明は、バーベルまたはダンベルなどの重量挙げ装置に関する。
【背景技術】
【０００２】
バーベルの重量挙げ装置は通常、バーと、中央に穴が開いた様々な重さの複数のディスクとからなり、穴が開いていることで、ディスクをバーの端部にスライドさせることができる。ここで、カラーによってディスクは一時的に適所に固定され、Ｚネジ、ねじりばね、またはクランプなどの様々な方法でウエイトが固定される。
【０００３】
安全性がフリーウエイトの取り扱いにおいて最大の懸念事項であって、これらのウエイトは、バーベルやその他の重量挙げ装置に恒久的には取り付けられておらず、これは、片側の重量が使用者に当たってしまう可能性があり、フリーウエイトシステムがボディビルや同様の活動に大きなウエイト荷重を伴って使用されることが多いからである。固定カラーの滑脱などの問題によって、結果として危険なウエイトシフトにつながりかねない。したがって、フリーウエイトはバーベルに適切に固定されなければならない。
【０００４】
従来のバーベルの設計を改善するために多くの試みがなされており、具体的には、フリーウエイトをバーベルに固定するための多くの様々な設計が提案されてきた。たとえば、米国特許出願公開第２０１７／００５６７０４号明細書は、ウエイトおよびウエイトをバーベルにロックするためのロック機構を開示している。
【０００５】
さらに、米国特許第４７３８４４６号明細書は、バーが運動する人によって操作されているときに運動用ウエイトディスク内のわずかな回転運動を可能にしながら、リフティングバーの端部に運動用ウエイトディスクを保持するための固定機構を開示している。鋸歯状のフランジを中に有する平滑な円筒形のボアを有している、スリーブ状のカラーピースが、ねじのセットを貫通する長手方向の溝を有する重量挙げのバーのネジ付き端部上に嵌められている。カラーピースは、ネジ付き端部上にスライドさせられ、ウエイトディスクとともにレジストリに挿入され、その後、鋸歯状のフランジがバーのスレディングと係合して協働することによって、その回転可能なガスケット表面がウエイトディスクに固定されるように、回転させられる。カラーピース面に挿入され、ガスケットが取り付けられているボールベアリング／レースが、回転自在に移動可能なベースを提供し、これによって、リフト運動中にバーがねじられるときに、ウエイトディスクは、いくらか制約された回転を受けることができる。
【０００６】
様々なタイプの取り付け機構を備えた多くの重量挙げ装置が提案されてきたが、改良された重量挙げ装置を提供するという目的が依然としてある。
【発明の概要】
【０００７】
上記を考慮して、本発明の目的は、フリーウエイトのための安全で、確実な、および／または効率的なロック機構を有する改良された重量挙げ装置を提供することであるか、または少なくとも適切な代替物を提供することである。
【０００８】
当該目的は、請求項１に記載の重量挙げ装置によって達成される。
【０００９】
したがって、本発明は、長手方向に延びるバーを備える重量挙げ装置であって、バーが、１つまたは複数のフリーウエイトを受容するように構成された少なくとも１つのウエイト部を備え、１つまたは複数のフリーウエイトが、ウエイト支持部を取り囲むように構成された開口部を備える、重量挙げ装置に関する。ウエイト支持部は、ウエイト支持部の第１の端部にフリーウエイトのための端部止めを備える。さらに、ウエイト支持部は、ウエイトベアリングセクションの、反対側の第２の端部にある、または第２の端部に隣接する凹部と、フリーウエイトをロックし、フリーウエイトが第２の端部から意図せず落下するのを防ぐためのフリーウエイトロッキング部材とを備える。フリーウエイトロッキング部材は、凹部と、凹部と端部止めとの間に位置する少なくとも１つのフリーウエイトロッキング位置との間でウエイト支持部の長手方向に移動可能である。フリーウエイトロッキング部材は、凹部において没入位置と上昇位置との間の第２の方向にさらに移動可能である。没入位置は、フリーウエイトロッキング部材が、完全に、または少なくとも大部分が凹部に没入される位置であり、上昇位置は、フリーウエイトロッキング部材が、没入位置に対して上昇し、少なくとも部分的に凹部の外側に延びる位置である。
【００１０】
本明細書に開示される重量挙げ装置の提供によって、フリーウエイトを安全におよび／または確実に一時的にバーに固定することができる、改良されたロック機構がもたらされる。より具体的には、フリーウエイトロック機構が凹部での没入位置と上昇位置との間で移動可能である前述の構成によって、フリーウエイトロッキング部材が没入位置にあるときにフリーウエイトをフリーウエイトロッキング部材上にスライドさせることが可能になる。それにより、フリーウエイトのより効率的な取り付けおよび／または取り外し手順が提供されてもよく、ここで、取り付け／取り外し手順中にフリーウエイトロッキング部材を取り外す必要はない。
【００１１】
随意に、フリーウエイトロッキング部材が没入位置にあるときに、フリーウエイトロッキング部材は、バーの長手方向に移動するのを防がれ得る。これにより、輸送中、重量挙げ装置の使用前／使用後など、ウエイト支持部にフリーウエイトが受容されていない状況で、フリーウエイトロッキング部材を安全に固定することが可能になり得る。また没入位置にあることで、重量挙げ装置が使用されていないときに、フリーウエイトロッキング部材の損傷を避けることも促進され得る。さらに随意に、フリーウエイトロッキング部材は、上昇位置にあるときに、長手方向に移動可能であり得る。
【００１２】
随意に、フリーウエイトロッキング部材が没入位置にあるときに、フリーウエイトロッキング部材の断面積の少なくとも９０、９５、９６、９７、９８、または９９％は、１００％が没入されることが好ましい場合でも、凹部に位置し得、ここで、断面は長手方向に垂直な平面によって画定される。
【００１３】
随意に、フリーウエイトロッキング部材は、没入位置にあるときに、ウエイト支持部から外向きに面するフリーウエイトロッキング部材の周囲形状が、ウエイトベアリングセクションの周囲形状に実質的に従うか、またはそれよりも小さくなるように構成され得る。これにより、フリーウエイトロッキング部材がバーの周囲形状の外側に延びないため、フリーウエイトロッキング部材が没入位置にあるときに、フリーウエイトは凹部上をより容易にスライドさせられ得る。
【００１４】
随意に、フリーウエイトロッキング部材および／またはウエイト支持部は、フリーウエイトロッキング部材と少なくとも１つのフリーウエイトロッキング位置との間に保持力を提供するための保持手段をさらに含み得る。保持手段は、フリーウエイトをウエイト支持部に安全に固定するために使用され得る。
【００１５】
随意に、保持手段は、フリーウエイトロッキング部材上の少なくとも１つの雄および／または雌ロッキング要素と、少なくとも１つのフリーウエイトロッキング位置にある少なくとも１つの嵌合する雌および／または雄ロッキング要素とを備えてもよく、それにより、フリーウエイトロッキング部材を少なくとも１つのフリーウエイトロッキング位置にロックするための少なくとも１つの嵌合する対の雄／雌ロッキング要素を形成する。雌および／または雄ロック構成は、重量挙げ装置の使用中に確実な保持力を提供することがわかっている。特に、このような構成は、より重いフリーウエイトが使用される場合に好ましい。さらに随意に、少なくとも１つの嵌合する対の雄／雌ロッキング要素を連結および解放する方向は、長手方向に対して略垂直であり得るか、または端部止めに向かって傾斜し得る。例示的な実施形態では、少なくとも１つの嵌合する対の雄／雌ロッキング要素を連結および解放する方向は、長手方向に対して略半径方向であり得るか、または端部止めに向かって傾斜し得る。それにより、フリーウエイトロッキング部材は、（１つまたは複数の）フリーウエイトからより大きな荷重を受容することが可能であり得る。実際、これにより、（１つまたは複数の）フリーウエイトが解放されて主にバーの長手方向に方向づけられるのを防ぐための反力がもたらされ得る。さらに、その方向が端部止めに向かって傾斜している場合、反力も部分的にバーの中心に向かって内側に配向され得、これにより保持力がさらに向上され得る。またさらに、随意に、連結／解放の方向は、第２の方向と略同じであり得る。
【００１６】
随意に、保持手段は、フリーウエイトロッキング部材とウエイト支持部との間に摩擦力を提供するための、フリーウエイトロッキング部材に設けられた、磁石、機械ばねおよびレバー、Ｚネジ、または同様のもののうちの少なくとも１つを備え得る。このような保持手段は、たとえば、雄／雌の保持手段と併用されてもよく、それにより、フリーウエイトロッキング部材の固定がさらに改善される。
【００１７】
随意に、保持手段は、フリーウエイトロッキング部材およびウエイト支持部の少なくとも１つに設けられた摩擦増大コーティングを含み得る。このような保持手段は、好ましくは、上述の保持手段などの他の保持手段と併用され得る。摩擦増大コーティングは、フリーウエイトロッキング部材とウエイト支持部との間の接触面のいずれか１つに設けられ得る。
【００１８】
随意に、ウエイト支持部は、その長手方向に複数のフリーウエイトロッキング位置を含み得、これらは、好ましくは、長手方向に互いに後に一列に配置される。それにより、１つを超えるフリーウエイト、および／または異なる幅のフリーウエイトが、ウエイト支持部に固定され得る。
【００１９】
随意に、フリーウエイトロッキング部材は、ウエイト支持部に移動可能に固定され得る。したがって、フリーウエイトロッキング部材は、凹部で長手方向および第２の方向に移動可能であっても、ウエイトベアリングセクションから容易に開放され得ないように固定され得、それにより、フリーウエイトロッキング部材がバーから脱落するのを防ぐ。すなわち、Ｚネジなどの他の解放可能なロッキング部材が、使用中にバーから容易に脱落し、消失しかねないことがわかっている。前述の構成では、フリーウエイトロッキング部材は、バー上に維持されるが、たとえば通常の使用者によってバーから容易に取り外すことはできない。
【００２０】
随意に、フリーウエイトロッキング部材は、ウエイト支持部に設けられた少なくとも１つのトラックに沿ってウエイト支持部の長手方向に移動可能であり得る。さらに随意に、少なくとも１つのトラックは、支持部の長手方向に延びる、少なくとも１つの溝、好ましくは２つの溝、より好ましくは反対側の２つの溝であり得る。
【００２１】
随意に、ウエイト支持部は、円形または楕円形の断面形状を有し得る。さらに随意に、バーは、円形または楕円形の断面形状を有し得る。
【００２２】
随意に、重量挙げ装置は、オリンピック標準のバーベル、パワーリフティング標準のバーベル、オリンピックダンベル、およびプレート式筋力訓練機などの、バーベルまたはダンベルのいずれか１つであり得る。
【００２３】
随意に、重量挙げ装置の少なくともバーは、金属または鋼および／またはチタン合金などの金属合金で作られ得る。さらに随意に、フリーウエイトロッキング部材も、金属または鋼および／またはチタン合金などの金属合金で作られ得る。
【００２４】
随意に、重量挙げ装置は、フリーウエイト支持部に設けられた少なくとも１つのフリーウエイトをさらに備え得る。
【００２５】
随意に、フリーウエイトロッキング部材は、部分的に円形または部分的に楕円形の断面形状を有し得る。
【００２６】
随意に、重量挙げ装置は、バーのそれぞれの第１および第２の端部からフリーウエイトを受容するように構成された２つのフリーウエイト支持部を備え得る。第２のフリーウエイト支持部は、前述の実施形態のいずれか１つに従って構成され得る。
【００２７】
随意に、ウエイト支持部の第１の端部での端部止めは、バー上に移動可能に配置され得る。たとえば、端部止めは、フリーウエイトロッキング部材および第２の端部に、または第２の端部に隣接して設けられた凹部と同様に構成され得る。これにより、自由度が向上され得、１つまたは複数のフリーウエイトをバーに沿ったより多くの場所に配置することができる。
【図面の簡単な説明】
【００２８】
【図１】本発明の例示的な実施形態による重量挙げ装置の三次元図を示す。
【図２】フリーウエイトが取り付けられたときの図１に示されるような重量挙げ装置の三次元図を示す。
【図３ａ】図１に示されるような重量挙げ装置の異なる部分のより詳細な図を示す。
【図３ｂ】図１に示されるような重量挙げ装置の異なる部分のより詳細な図を示す。
【図４】図１〜図３ｂに示されるような重量挙げの縦断面図を示す。
【図５】本発明の例示的な実施形態による保持手段を備えた重量挙げ装置の概略図を示す。
【図６】本発明の例示的な実施形態による保持手段を備えた別の重量挙げ装置の概略図を示す。
【図７ａ】本発明の例示的な実施形態による保持手段を備えたさらに別の重量挙げ装置の概略図を示す。
【図７ｂ】本発明の例示的な実施形態による保持手段を備えたさらに別の重量挙げ装置の概略図を示す。
【００２９】
図面は、本発明の例示的な実施形態を図式的に示しており、したがって、必ずしも一定の縮尺で描かれているわけではない。示され記載された実施形態が例示であり、本発明がこれらの実施形態に限定されないことが理解されるべきである。本発明をより好適に説明および例示するために、図面でいくつかの詳細が誇張されている場合があることにも留意されたい。同様の参照文字は、特に他に明記されていない限り、明細書全体で同様の要素を指す。
【００３０】
添付の図面を参照して、以下に、例として引用された本発明の実施形態のより詳細な説明が続く。
【発明を実施するための形態】
【００３１】
図１、図２および図３ａ〜図３ｂを参照すると、本発明の例示的な実施形態による重量挙げ装置１が示されている。重量挙げ装置１は、長手方向に延びるバー１０を備え、バー１０は、ここでは中央開口部である開口部１０１を備えるフリーウエイト１００を受容するように構成されたウエイト支持部３０を備える。バー１０は、使用者が重量挙げ装置１を保持することができる把持セクション２０をさらに備える。ウエイト支持部３０は、ウエイト支持部３０の第１の端部３２にあるフリーウエイト１００のための端部止め３１と、ウエイト支持部３０の、反対側の第２の端部１１にある、または第２の端部１１に隣接する凹部１２と、フリーウエイト１００をロックし、フリーウエイト１００が第２の端部１１から意図せず落下するのを防ぐためのフリーウエイトロッキング部材４０とを備える。第２の端部１１は、本実施形態では、バー１０の外側端部であり、端部止め３１は、ここでは、ウエイト支持部３０と把持セクション２０を分離するバー１０上のカラーとして構成される。代替的に、カラー３１は、凹部１２およびフリーウエイトロッキング部材４０と同様の構成を有する凹部およびフリーウエイトロッキング部材と交換される、および／またはそれらを補完され得、それにより、バー１０にフリーウエイトを取り付ける自由度が向上する。
【００３２】
さらに、フリーウエイトロッキング部材４０は、凹部１２と、凹部１２と端部止め３１との間に位置する少なくとも１つのフリーウエイトロッキング位置３３との間で、ウエイト支持部３０の長手方向Ｌに移動可能である。ここで、ウエイト支持部３０は、ウエイト支持部３０の長手方向に沿って一列に配置された複数のフリーウエイトロッキング位置３３を含む。それにより、バー１０に設けられるフリーウエイト１００の数を変更することができ、結果としてより自由度のある重量挙げ装置がもたらされる。
【００３３】
フリーウエイトロッキング部材４０は、凹部１２において凹部１２に対して没入位置と上昇位置との間で第２の方向Ｙにさらに移動可能である。第２の方向Ｙは、長手方向Ｌとは異なり、ここではバー１０の半径方向Ｙである。没入位置は、フリーウエイトロッキング部材４０が凹部１２に完全にまたは少なくとも大部分が没入される位置であり、上昇位置は、フリーウエイトロッキング部材４０が没入位置に対して上昇し、少なくとも部分的に凹部１２の外側に延びる位置である。図１は、フリーウエイトロッキング部材４０が没入位置にあるときの状況を示している。この特定の実施形態では、ウエイト支持部３０から外向きに面するフリーウエイトロッキング部材４０の周囲形状は、ウエイト支持部３０の周囲形状に実質的に従う。これにより、見てわかるように、フリーウエイトロッキング部材４０が没入位置にあるときに、ウエイト支持部３０は、この例示的な実施形態において、ウエイト支持部３０の長手方向全体に沿って略同じ直径を有し、ここで、フリーウエイト１００は受容されることを意図されている。結果として、フリーウエイト１００は、カラー３１に向かってフリーウエイトロッキング部材４０上をスライドされ得る。
【００３４】
第２の方向Ｙは、本実施形態において、長手方向Ｌに略垂直であり、すなわち、バー１０に対して半径方向に延び、これは１つの好ましい実施形態である。それにより、フリーウエイトロッキング部材４０が没入位置から上昇位置に移動すると、結果として凹部１２でのウエイト支持部３０の断面積が増加する。しかし、第２の方向は、没入位置から上昇位置への移動が、結果として凹部１２でのウエイト支持部３０の断面積の増加をもたらす限り、異なって方向づけることもでき、ここで断面積は、長手方向Ｌに垂直な平面によって画定される。
【００３５】
図２は、フリーウエイト１００がウエイト支持部３０に設けられたときの図であって、フリーウエイト１００が、フリーウエイトロッキング部材４０と図２の視界から隠されているカラー３１との間にロックされている状況の図を示している。フリーウエイトロッキング部材４０が凹部１２内の没入位置にあるときに、フリーウエイト１００は第２の端部１１からウエイト支持部３０に設けられている。その後、フリーウエイトロッキング部材４０はその上昇位置に上昇され、次いで、カラー３１およびフリーウエイト１００に向かって長手方向に移動させられる。最後に、フリーウエイトロッキング部材４０は、フリーウエイト１００の最も近位にあるフリーウエイトロッキング位置３３にロックされ、それによって、フリーウエイト１００は、重量挙げ装置１にロックされ、それにより、第２の端部１１から意図せずに落下することも防がれる。
【００３６】
フリーウエイトロッキング部材４０は、上昇位置にあるとき、トラック３４に沿って長手方向Ｌに移動させることができる。本実施形態では、トラック３４は、ウエイト支持部３０の反対側に配置された２つの溝として設けられている（２つの溝の１つのみを見ることができる）。２つの溝３４は、ウエイト支持部３０の周囲において角度的にオフセットされる。図１〜図３で見ることができるように、ウエイト支持部３０は、楕円形の断面などの他の断面形状を使用することもできるが、円形の断面を有している。
【００３７】
さらに、本実施形態では、フリーウエイトロッキング部材４０は、雄ロッキング要素４１を備え、フリーウエイトロッキング位置３３でのウエイト支持部３０は、嵌合する雌ロッキング要素３３１を備え、それにより、嵌合する対の雄／雌ロッキング要素が形成される。この構成は、図３ａ〜図３ｂでより明確に見ることができ、ここで、フリーウエイトロッキング部材４０はウエイト支持部３０から分離されている。
【００３８】
特に図３ａを参照すると、ウエイト支持部３０が、長手方向Ｌに沿って一列に配置されたくぼみとして設けられている複数の雌ロッキング要素３３１を備えていることがわかる。凹部１２にも、同様に形作られたくぼみ１３が設けられている。くぼみ１３およびくぼみ３３１は、フリーウエイトロッキング部材４０に設けられた嵌合する雄ロッキング要素４１を受容することができるように構成されている（図３ｂを参照）。フリーウエイトロッキング部材４０にはまた、トラック３４に沿ってスライドするように配置されている走行部材４２が設けられている。したがって、この特定の実施形態では、走行部材４２は、２つの角度的にオフセットされた溝３４に沿ってスライドするように配置されている。さらに、走行部材４２は、バー１０に対して半径方向内側に突出しており、それゆえ、フリーウエイトロッキング部材４０をバー１０のウエイト支持部３０に移動可能に固定する。フリーウエイトロッキング部材４０は、雄ロッキング要素４１が雌ロッキング要素３３１と嵌合するように、フリーウエイトロッキング部材４０をバー１０の中心に向かって半径方向内側に移動させることによって、フリーウエイトロッキング位置３３にロックされる。
【００３９】
さらに、フリーウエイトロッキング部材４０は、部分的に円形の断面形状を有しており、これは、本実施形態では、約１８０度の延びを有する半円形の形状である。またさらに、フリーウエイトロッキング部材４０は、追加オプションの保持手段４３を含み、これは、ここでは、フリーウエイトロッキング部材４０の外周端に設けられた磁石である。磁石４３は、ウエイト支持部３０とフリーウエイトロッキング部材４０との間に磁力を生成するように配置されている。たとえば、磁力は、フリーウエイトロッキング部材４０を凹部１２に配置するときに没入位置により容易に引き付けるために使用され得る。磁力はまた、有利なことに、フリーウエイトロッキング部材４０をそのロッキング位置により容易に引き付けるためにフリーウエイトロッキング位置３３で使用され得る。ウエイト支持部３０はまた、たとえば、凹部１２内および／またはトラック３４内またはその近くに配置された磁石を備え得る。バー１０はまた、磁性鋼などの、それ自体が磁性である材料から作られ得る。
【００４０】
図４は、図１〜図３ｂに示されるような重量挙げ装置１の長手方向断面の詳細を示す。フリーウエイトロッキング部材４０は、ここで、少なくとも１つのフリーウエイト１００をバー１０にロックする。ここでは見られないが、フリーウエイトロッキング部材４０の雄ロッキング要素４１は、嵌合する雌ロッキング要素３３１内に配置され、それによって、フリーウエイトロッキング部材４０をロッキング位置３３にロックする。
【００４１】
図５および図６を参照すると、２つの異なる保持手段構成の概略図が示されている。保持手段は、ここで、それぞれ、嵌合する対の雄／雌ロッキング要素４１および３３１である。図５では、雄／雌ロッキング要素は、嵌合する対の雄／雌ロッキング要素４１および３３１を連結および解放するための方向が、長手方向Ｌに対して略垂直であるように構成されている。これにより、フリーウエイト１００からの荷重Ｗがフリーウエイトロッキング部材４０に加えられると、垂直力Ｎは、フリーウエイトがそのロックされた位置から解放されるのを防ぐ。ここではくぼみとして設けられる雌ロッキング要素３３１の内壁３３２が、長手方向Ｌに垂直に配向されているため、垂直力Ｎは、バー１０の長手方向Ｌに方向づけられる。内壁３３２はまた、特定の摩擦係数を有し、これは、たとえば、そこに摩擦増大コーティングを設けることによって増大され得る。これにより、摩擦力Ｒも、雄ロッキング要素４１がくぼみ３３１から解放されるのを防ぎ、摩擦力Ｒは、摩擦係数に垂直力Ｎを掛けたものに等しい。
【００４２】
図６では、雄／雌ロッキング要素は、嵌合する対の雄／雌ロッキング要素４１および３３１を連結および解放する方向が端部止め３１に向かって傾斜するように構成されている。保持手段も、ここでは、それぞれ、嵌合する対の雄／雌ロッキング要素４１および３３１である。これにより、フリーウエイト１００からの荷重Ｗがフリーウエイトロッキング部材４０に加えられると、垂直力Ｎは、フリーウエイト１０がそのロックされた位置から解放されるのを防ぐ。雌ロッキング要素３３１の内壁３３２が端部止め３１に向かって傾斜しているため、垂直力Ｎは、バー１０の長手方向Ｌに、およびまたバー１０の中心に向かって内側に方向づけられる。これにより、内側に方向づけられた保持力ＴＦもまた、荷重Ｗがフリーウエイトロッキング部材４０に加えられたときにフリーウエイトロッキング部材４０が解放されるのを防ぎ得るため、またさらに改善された保持が提供され得る。
【００４３】
図７ａおよび７ｂを参照すると、たとえば、前述の雄／雌ロッキング要素の相補的なものとして、またはその代替として使用され得る別の保持手段の概略図が示されている。ここで、フリーウエイトロッキング部材４０には、フリーウエイトロッキング部材４０をフリーウエイトロッキング位置３３にロックするように配置されたレバー部材４４が設けられている。レバー部材４４を回転させると、フリーウエイトロッキング部材４０はＹ方向に移動し、それにより、フリーウエイトロッキング部材４０をウエイト支持部３０にクランプする。この例示的な実施形態では、レバー４４を回転させると、走行部材４２は溝３４の上面に向かって上方に移動させられ、その結果、図７ｂに示されるクランプ力Ｎが生じる。フリーウエイト１００からフリーウエイトロッキング部材４０に加えられた荷重Ｗは、結果として、クランプされた表面と垂直力Ｎとの間の摩擦係数に等しい保持力Ｒをもたらす。同様の方法で、保持力Ｒは、たとえば機械ばねなどの使用によっても生成される。またさらに、摩擦増大コーティングが保持力Ｒをさらに増大させ得る。
【００４４】
本発明は、上記された、および図面に例示されている実施形態に限定されないことを理解されたい。むしろ、当業者は、添付の特許請求の範囲内で多くの変更および修正が行われ得ることを認識するであろう。たとえば、図１を参照して記載されるようなフリーウエイトロッキング部材４０は、半円に形作られている。しかし、より小さな円形のセクションやより大きな円形のセクションなどの、他の形状も可能である。
【図１】
2021526953.tif 000003
【図２】
2021526953.tif 000004
【図３ａ】
2021526953.tif 000005
【図３ｂ】
2021526953.tif 000006
【図４】
2021526953.tif 000007
【図５】
2021526953.tif 000008
【図６】
2021526953.tif 000009
【図７ａ】
2021526953.tif 000010
【図７ｂ】
2021526953.tif 000011
【国際調査報告】
2021526953.tif 000012
2021526953.tif 000013